(57)【要約】【課題】面振れ光ディスクの内周でレーザ光のフォーカスを限界まで光ディスクの記録面方向に上げても、対物レンズが光ディスクに衝突することを防止できると共に、光ディスクの外周においても対物レンズの可動域が面振れに追従できるようにした光ディスク装置を提供する。【解決手段】スピンドルモータ２の回転軸２ａを垂直方向に対してα度傾くようにスピンドルモータ２が配置されたのでターンテーブル３もα度傾斜し光ディスク１もα度傾斜して回転し、光ピックアップ４の対物レンズ７がスレッド５の移動方向９に対してα度傾くように配置されたので対物レンズ７はα度傾斜したままスレッド５の移動方向９に動く。したがってターンテーブル３や光ピックアップ４のフォーカス可動域のバラツキに対するマージンを確保することができ、予想外の面振れディスクでも記録や再生が可能になる。【選択図】図１
2009020926.tif 000002
【特許請求の範囲】
【請求項１】
回転軸の先端にターンテーブルが取り付けられ前記ターンテーブルに装着された光ディスクを回転させるスピンドルモータと、光ディスクに対してレーザ光を照射し情報の読み出しまたは書き込み／読み出しを光学的に行う光ピックアップと、この光ピックアップを光ディスクの半径方向に移動させるためのスレッドと、前記光ピックアップに内蔵された対物レンズを光ディスクの記録面に対して垂直方向に移動させるフォーカス用アクチュエータとを含み構成され、光ディスクに対して情報の再生または記録／再生を行う光ディスク装置において、
前記スピンドルモータの回転軸が垂直方向に対して所定角度傾くように前記スピンドルモータを配置すると共に、前記対物レンズが前記スレッドの移動方向に対して前記所定角度傾くように配置されたことを特徴とする光ディスク装置。
【請求項２】
前記対物レンズが前記スレッドの移動方向に対して前記所定角度傾くように、前記対物レンズを前記光ピックアップの枠体に対して前記所定角度傾けて配置したことを特徴とする請求項１に記載の光ディスク装置。
【請求項３】
前記対物レンズが前記スレッドの移動方向に対して前記所定角度傾くように、前記光ピックアップを前記所定角度傾けて前記スレッドに取り付けたことを特徴とする請求項１に記載の光ディスク装置。
【発明の詳細な説明】
【技術分野】
【０００１】
本発明は、光ディスクに対して情報を再生または記録／再生を行う光ディスク装置に関し、特に、スピンドルモータおよび光ピックアップの配置に関する。
【背景技術】
【０００２】
図４は従来の光ディスク装置におけるスピンドルモータおよび光ピックアップの配置状態を示す模式的構成図である。図４において、この従来の光ディスク装置は、光ディスク１を回転させるためのスピンドルモータ２と、このスピンドルモータ２の回転軸２ａの先端に取り付けられ光ディスク１が装着されるターンテーブル３と、光ディスク１に対してレーザ光を照射し情報の読出し（この光ディスク装置が再生専用のＤＶＤプレイヤの場合）または書き込み／読み出し（この光ディスク装置が記録および再生可能なＤＶＤレコーダの場合）を光学的に行う光ピックアップ４と、この光ピックアップ４を光ディスク１の半径方向に移動させるためのスレッド５とを備えている。スレッド５には移動方向９に対してラックギヤが形成され、図示しないスレッド用モータの駆動力を、ピニオンギヤを介して前記ラックギヤに伝達することにより、スレッド５が移動方向９に移動する。
【０００３】
光ピックアップ４は、図示しないレーザダイオードからのレーザ光を入射し光ディスク１の記録面にレーザ光６を照射させる対物レンズ７と、レーザ光６が光ディスク１の記録面に対して焦点が合うようにフォーカス調整を行うため対物レンズ７を光ディスク１の記録面に対して垂直方向に移動させるフォーカス用アクチュエータ８とを内蔵している。フォーカス用アクチュエータ８は、図示しないサーボ回路により駆動制御される。なお、光ディスク１の記録面の半径方向に対する対物レンズ７の微小移動は、図示しないトラッキング用アクチュエータの駆動により行われる。
【０００４】
図５は従来の光ディスク装置において面振れの有る光ディスクに対する対物レンズの追従状態を説明するための図である。図５において、２４は光ディスク１の中心線、２３は光ディスク１の面振れ幅、２１は対物レンズの可動域、２２は光ピックアップから出射されるレーザ光のフォーカス可動域を示す。また、Ｐ３はフォーカスサーボ時において光ディスク１の外周で焦点距離が足りないことを示す点であり、Ｐ４はフォーカスサーボに入る前の立ち上げ時において光ディスク１の内周で対物レンズが光ディスク１と衝突していることを示す点である。
【０００５】
次に、図４と図５を参照して従来の光ディスク装置において面振れの有る光ディスクに対する対物レンズの追従動作を説明する。
【０００６】
光ディスク１が面振れの有る光ディスクであると仮定し、光ディスク１がスピンドルモータ２の駆動により、光ディスク１が回転し、この後、図示しないスレッド用モータの駆動により、例えば、スレッド５を図４から見て右方に移動させると、光ピックアップ４が光ディスク１の内周から外周に移動して行く。光ディスク１が回転すると、光ディスク１は外周側で面振れ幅２３の幅をもって面振れするので、図示しないサーボ回路は、光ピックアップ４のフォーカス用アクチュエータ８を駆動させることにより、対物レンズ７を光ディスク１の記録面に対して垂直方向に移動させ、レーザ光６のフォーカスが光ディスク１の記録面に照射されるように調整する。
【０００７】
対物レンズ７の可動域は、図５に示すように対物レンズ可動域２１であり、レーザ光６のフォーカスの可動域は、同じく図５に示すようにフォーカス可動域２２であるので、光ディスク１の外周では、点Ｐ３で示すようにレーザ光６の焦点距離が届かず、また、光ディスク１の内周でフォーカスの位置を限界まで上方に上げるために対物レンズ７の位置を上方に最大まで上げた場合に、点Ｐ４で示すように対物レンズ７が光ディスク１と衝突する。
【特許文献１】特開２００５−３２３４４号公報
【特許文献２】特表２００５−５３８４９２号公報
【特許文献３】特開２００１−１７６１８４号公報
【発明の開示】
【発明が解決しようとする課題】
【０００８】
ところで、従来から光ディスク装置では、光ピックアップ４の対物レンズ７の可動域が決まっていて、それに伴ってレーザ光６のフォーカスの可動域も決まっている。したがって、対物レンズ７の可動域が狭い場合において、光ディスク１の面振れが大き過ぎるとき、対物レンズ７の追従が面振れに追従できなくなる。光ディスク１の外周に行くほど、面振れが大きくなり、レーザ光６のフォーカスの限界位置に対して光ディスク１の記録面の位置が上回って、レーザ光６のフォーカスが記録面に届かなくなり、フォーカスが外れた状態になる。そこで、対物レンズ７の可動域を広げると、そのフォーカス外れが解消されるが、それに相反して光ディスク１の内周側では、前述したように対物レンズ７が光ディスク１に衝突してしまうことが起き、対物レンズ７が致命的になる。
【０００９】
以上説明したように、従来の光ディスク装置においては、フォーカスサーボ時において光ディスクの外周では、レーザ光の焦点距離が届かず、また、フォーカスサーボに入る前の立ち上げ時において光ディスクの内周でフォーカスの位置を限界まで上方に上げるために対物レンズの位置を上方に最大まで上げた場合に、対物レンズが光ディスクと衝突するようなことが生じ、メカニカルのターンテーブルや光ピックアップのフォーカス可動域のバラツキに対するマージンを確保することができず、したがって、光ディスクに予想外の面振れが有った場合、その光ディスクの情報の記録や再生が不可能となり、この結果、光ディスクの不良率が高くなり、光ディスク装置としては性能の低いものとなると言う課題があった。
【００１０】
なお、特許文献１および特許文献２の従来技術は、光ディスク自体の面振れを防止することにより、対物レンズと光ディスクとの衝突を防止するものであり、前記のような課題を解決するものではない。また、特許文献３の従来技術は、光ディスクを傾斜させて載置部に載置することにより、面振れによる光ディスクとベース部材との衝突を防止するものであり、前記のような課題を解決するものではない。
【００１１】
本発明は、上記のような課題を解決するためになされたもので、面振れの有る光ディスクの内周でレーザ光のフォーカスを限界まで光ディスクの記録面方向に上げても、対物レンズが光ディスクに衝突することを防止することができると共に、光ディスクの外周においても対物レンズの可動域が光ディスクの面振れに追従することができるようにした光ディスク装置を提供することを目的とする。
【課題を解決するための手段】
【００１２】
上記目的を達成するために、請求項１の発明は、回転軸の先端にターンテーブルが取り付けられ前記ターンテーブルに装着された光ディスクを回転させるためのスピンドルモータと、光ディスクに対してレーザ光を照射し情報の読み出しまたは書き込み／読み出しを光学的に行う光ピックアップと、この光ピックアップを光ディスクの半径方向に移動させるためのスレッドと、前記光ピックアップに内蔵された対物レンズを光ディスクの記録面に対して垂直方向に移動させるフォーカス用アクチュエータとを含み構成され、光ディスクに対して情報の再生または記録／再生を行う光ディスク装置において、前記スピンドルモータの回転軸を垂直方向に対して所定角度傾くように前記スピンドルモータを配置すると共に、前記対物レンズが前記スレッドの移動方向に対して前記所定角度傾くように配置されたことを特徴とする光ディスク装置を提供する。
【００１３】
この構成においては、スピンドルモータの回転軸を垂直方向に対して所定角度傾くようにスピンドルモータが配置されたので、ターンテーブルも所定角度傾斜し、これに伴って光ディスクも所定角度傾斜して回転し、また、対物レンズがスレッドの移動方向に対して前記所定角度傾くように配置されたので、対物レンズは前記所定角度傾斜したままスレッドの移動方向に動く。
【００１４】
したがって、この構成によれば、フォーカスサーボに入る前の立ち上げ時において、面振れの有る光ディスクの内周でレーザ光のフォーカスを限界まで光ディスクの記録面方向に上げても、対物レンズを光ディスクに衝突することを防止でき、また、フォーカスサーボ時において、光ディスクの外周においても対物レンズの可動域が光ディスクの面振れに追従することができ、これらにより、メカニカルのターンテーブルや光ピックアップのフォーカス可動域のバラツキに対するマージンを確保することができ、したがって、情報の記録や再生を行う光ディスクに予想外の面振れが有っても、情報の記録や再生が可能となり、この結果、光ディスクの不良率を低減させることでき、光ディスク装置としても性能の高いものとなる。
【００１５】
請求項２の発明では、請求項１の発明において、対物レンズがスレッドの移動方向に対して所定角度傾くように、前記対物レンズを光ピックアップの枠体に対して前記所定角度傾けて配置したので、対物レンズは前記所定角度傾斜したままスレッドの移動方向に動かすことができる。
【００１６】
請求項３の発明では、対物レンズがスレッドの移動方向に対して所定角度傾くように、光ピックアップを所定角度傾けて前記スレッドに取り付けたので、対物レンズは前記所定角度傾斜したままスレッドの移動方向に動かすことができる。
【発明の効果】
【００１７】
以上のように本発明によれば、フォーカスサーボに入る前の立ち上げ時において、面振れの有る光ディスクの内周でレーザ光のフォーカスを限界まで光ディスクの記録面方向に上げても、対物レンズを光ディスクに衝突することを防止でき、また、フォーカスサーボ時において、光ディスクの外周においても対物レンズの可動域が光ディスクの面振れに追従することができ、これらにより、メカニカルのターンテーブルや光ピックアップのフォーカス可動域のバラツキに対するマージンを確保することができ、したがって、情報の記録や再生を行う光ディスクに予想外の面振れが有っても、情報の記録や再生が可能となり、この結果、光ディスクの不良率を低減させることでき、光ディスク装置としても性能の高いものとなる。
【発明を実施するための最良の形態】
【００１８】
以下、添付図面を参照しつつ、本発明の実施の形態について説明する。図１は本発明の第１の実施形態に係る光ディスク装置におけるスピンドルモータおよび光ピックアップの配置状態を示す模式的構成図である。
【００１９】
図１において、この光ディスク装置は、光ディスク１を回転させるためのスピンドルモータ２と、このスピンドルモータ２の回転軸２ａの先端に取り付けられ光ディスク１が装着されるターンテーブル３と、光ディスク１に対してレーザ光を照射し情報の読出し（この光ディスク装置が再生専用のＤＶＤプレイヤの場合）または書き込み／読み出し（この光ディスク装置が記録および再生可能なＤＶＤレコーダの場合）を光学的に行う光ピックアップ４と、この光ピックアップ４を光ディスク１の半径方向に移動させるためのスレッド５とを備えている。スレッド５には移動方向９にラックギヤが形成され、図示しないスレッド駆動用モータの駆動力をピニオンギヤを介してラックギヤに伝達することにより、スレッド５が移動方向９に移動する。
【００２０】
光ピックアップ４は、図示しないレーザダイオードからのレーザ光を入射し光ディスク１の記録面にレーザ光６を照射させる対物レンズ７と、レーザ光６が光ディスク１の記録面に対して焦点が合うようにフォーカス調整を行うため対物レンズ７を光ディスク１の記録面に対して垂直方向に移動させるフォーカス用アクチュエータ８とを内蔵している。フォーカス用アクチュエータ８は、図示しないサーボ回路により駆動制御される。なお、光ディスク１の記録面の半径方向に対する対物レンズ７の微小移動は、図示しないトラッキング用アクチュエータの駆動により行われる。
【００２１】
ここで、この第１の実施形態の特徴とする構成について説明する。スピンドルモータ２は、回転軸２ａが垂直方向（Ｙ方向）に対して所定角度（α度）傾くように配置されている。スピンドルモータ２を、回転軸２ａが垂直方向（Ｙ方向）に対して所定角度（α度）傾くように配置するには、スピンドルモータ２をシャーシに取り付ける際に、傾くように取り付ければ良いので、何れの手段を用いても可能である。また、光ピックアップ４の対物レンズ７がスレッド５の移動方向９に対して所定角度（α度）傾くように配置されている。即ち、対物レンズ７がスレッド５の移動方向９に対して所定角度（α度）傾くように、対物レンズ７が光ピックアップ４の枠体に対して所定角度（α度）傾けて配置されている。
【００２２】
図２は第１の実施形態および第２の実施形態において面振れの有る光ディスクに対する対物レンズの追従状態を説明するための図である。図２において、２４は光ディスク１の中心線、２３は光ディスク１の面振れ幅、２１は対物レンズの可動域、２２は光ピックアップから出射されるレーザ光のフォーカス可動域を示す。また、Ｐ１はフォーカスサーボ時において光ディスク１の外周でも焦点距離が届いていることを示す点であり、Ｐ２はフォーカスサーボに入る前の立ち上げ時において光ディスク１の内周でも対物レンズが衝突していないことを示す点である。
【００２３】
次に、図１と図２を参照して第１の実施形態において面振れの有る光ディスクに対する対物レンズの追従動作を説明する。
【００２４】
光ディスク１が面振れの有る光ディスクであると仮定し、光ディスク１がスピンドルモータ２の駆動により、光ディスク１が回転し、この後、図示しないスレッド用モータの駆動により、スレッド５を図１から見て右方に移動させると、光ピックアップ４が光ディスク１の内周から外周に移動して行く。光ディスク１が回転すると、光ディスク１は外周側で面振れ幅２３の幅をもって面振れするので、図示しないサーボ回路は、光ピックアップ４のフォーカス用アクチュエータ８を駆動させることにより、対物レンズ７を光ディスク１の記録面に対して垂直方向に移動させ、レーザ光６のフォーカスが光ディスク１の記録面に照射されるように調整する。
【００２５】
対物レンズ７の可動域は、図２に示すように対物レンズ可動域２１であり、レーザ光６のフォーカスの可動域は、同じく図２に示すようにフォーカス可動域２２であるので、光ディスク１の外周でも、点Ｐ１で示すようにレーザ光６の焦点距離が十分に届き、また、光ディスク１の内周でも、点Ｐ２で示すように対物レンズ７が光ディスク１と衝突することはない。
【００２６】
以上のように第１の実施形態によれば、フォーカスサーボに入る前の立ち上げ時において、面振れの有る光ディスク１の内周でレーザ光６のフォーカスを限界まで光ディスク１の記録面方向に上げても、対物レンズ７を光ディスク１に衝突することを防止でき、また、フォーカスサーボ時において、光ディスク１の外周においても対物レンズ７の可動域が光ディスク１の面振れに追従することができ、これらにより、メカニカルのターンテーブル３や光ピックアップ４のフォーカス可動域のバラツキに対するマージンを確保することができ、したがって、情報の記録や再生を行う光ディスクに予想外の面振れが有っても、情報の記録や再生が可能となり、この結果、光ディスクの不良率を低減させることでき、光ディスク装置としても性能の高いものとなる。
【００２７】
図３は本発明の第２の実施形態に係る光ディスク装置におけるスピンドルモータおよび光ピックアップの配置状態を示す模式的構成図である。
【００２８】
図３において、この光ディスク装置は、光ディスク１を回転させるためのスピンドルモータ２と、このスピンドルモータ２の回転軸２ａの先端に取り付けられ光ディスク１が装着されるターンテーブル３と、光ディスク１に対してレーザ光を照射し情報の読出し（この光ディスク装置が再生専用のＤＶＤプレイヤの場合）または書き込み／読み出し（この光ディスク装置が記録および再生可能なＤＶＤレコーダの場合）を光学的に行う光ピックアップ４と、この光ピックアップ４を光ディスク１の半径方向に移動させるためのスレッド５とを備えている。スレッド５には移動方向９にラックギヤが形成され、図示しないスレッド駆動用モータの駆動力をピニオンギヤを介してラックギヤに伝達することにより、スレッド５が移動方向９に移動する。
【００２９】
光ピックアップ４は、図示しないレーザダイオードからのレーザ光を入射し光ディスク１の記録面にレーザ光６を照射させる対物レンズ７と、レーザ光６が光ディスク１の記録面に対して焦点が合うようにフォーカス調整を行うため対物レンズ７を光ディスク１の記録面に対して垂直方向に移動させるフォーカス用アクチュエータ８とを内蔵している。フォーカス用アクチュエータ８は、図示しないサーボ回路により駆動制御される。なお、光ディスク１の記録面の半径方向に対する対物レンズ７の微小移動は、図示しないトラッキング用アクチュエータの駆動により行われる。
【００３０】
ここで、この第２の実施形態の特徴とする構成について説明する。スピンドルモータ２は、回転軸２ａが垂直方向に対して所定角度傾くように配置されている。スピンドルモータ２を、回転軸２ａが垂直方向に対して所定角度傾くように配置するには、スピンドルモータ２をシャーシに取り付ける際に、傾くように取り付ければ良いので、何れの手段を用いても可能である。また、光ピックアップ４の対物レンズ７がスレッド５の移動方向９に対して前記所定角度傾くように、光ピックアップ４が三角部材１０によって前記所定角度傾けてスレッド５に取り付けられている。なお、光ピックアップ４をスレッド５に対して前記所定角度傾けて取り付ける手段は、三角部材１０を設けることに限ることはなく、また、光ピックアップ４の枠体の底部が傾いた形状にしても良い。面振れの有る光ディスク１に対する対物レンズ７の追従動作については、図２で説明したので、ここでは説明を省略する。
【００３１】
以上のように第２の実施形態によれば、フォーカスサーボに入る前の立ち上げ時において、面振れの有る光ディスク１の内周でレーザ光６のフォーカスを限界まで光ディスク１の記録面方向に上げても、対物レンズ７を光ディスク１に衝突することを防止でき、また、フォーカスサーボ時において、光ディスク１の外周においても対物レンズ７の可動域が光ディスク１の面振れに追従することができ、これらにより、メカニカルのターンテーブル３や光ピックアップ４のフォーカス可動域のバラツキに対するマージンを確保することができ、したがって、情報の記録や再生を行う光ディスクに予想外の面振れが有っても、情報の記録や再生が可能となり、この結果、光ディスクの不良率を低減させることでき、光ディスク装置としても性能の高いものとなる。
【産業上の利用可能性】
【００３２】
本発明は、ＤＶＤレコーダやＤＶＤプレイヤなどの光ディスク装置に利用可能であり、予想外の面振れの有る光ディスクでも、記録や再生を行うことができるようになる。
【図面の簡単な説明】
【００３３】
【図１】本発明の第１の実施形態に係る光ディスク装置におけるスピンドルモータおよび光ピックアップの配置状態を示す模式的構成図である。
【図２】第１の実施形態および第２の実施形態において面振れの有る光ディスクに対する対物レンズの追従状態を説明するための図である。
【図３】本発明の第２の実施形態に係る光ディスク装置におけるスピンドルモータおよび光ピックアップの配置状態を示す模式的構成図である。
【図４】従来の光ディスク装置におけるスピンドルモータおよび光ピックアップの配置状態を示す模式的構成図である。
【図５】従来の光ディスク装置において面振れの有る光ディスクに対する対物レンズの追従状態を説明するための図である。
【符号の説明】
【００３４】
１    光ディスク
２    スピンドルモータ
３    ターンテーブル
４    光ピックアップ
５    スレッド
７    対物レンズ
８    フォーカス用アクチュエータ
【図１】
2009020926.tif 000003
【図２】
2009020926.tif 000004
【図３】
2009020926.tif 000005
【図４】
2009020926.tif 000006
【図５】
2009020926.tif 000007